(57)【要約】【課題】簡易な装置によって優れた操作性を実現できる撮像部付き携帯通信機器を提供する。【解決手段】カメラ付き携帯電話は、撮像部４を有し、撮像部４が回動可能に取り付けられた筐体２と、筐体２に回動可能に取り付けられた連結部６を有する筐体３と、筐体３の回動運動を連結部６を介して撮像部４に伝える回動運動伝達部１８とを備える。回動運動伝達部１８は、表面６ａから突出する突状部１１と、レバー１２とを有する。筐体２には、所定の方向に撮像部４に力を加えるコイルバネ１４が設けられている。【選択図】        図３
2004312165.tif 000002
【特許請求の範囲】
【請求項１】
撮像部を有し、前記撮像部が回動可能に取り付けられた第１の筐体と、
前記第１の筐体に回動可能に取り付けられた連結部を有する第２の筐体と、
前記第２の筐体の回動運動を前記連結部を介して前記撮像部に伝える回動運動伝達部とを備える、撮像部付き携帯通信機器。
【請求項２】
前記第２の筐体を回動させることによって前記第１および第２の筐体を折り畳んだ状態から開いた状態へと変化させると、前記撮像部は、第１の状態から第２の状態へと変化する、請求項１に記載の撮像部付き携帯通信機器。
【請求項３】
前記連結部は、前記第２の筐体の回動運動に伴って回転する表面を含み、前記回動運動伝達部は、前記表面から突出する第１の突状部と、前記第１の状態で前記第１の突状部に接触する一方端、ならびに前記第１および第２の状態で前記撮像部に接触する他方端を含むレバー部とを有し、前記第１の筐体には、前記撮像部が前記第２の状態を保持する方向に前記撮像部に力を加える第１の弾性部材が設けられている、請求項２に記載の撮像部付き携帯通信機器。
【請求項４】
前記連結部は、前記第２の筐体の回動運動に伴って回転する表面を含み、前記回動運動伝達部は、前記表面から突出する第２の突状部と、前記第２の状態で前記第２の突状部に接触し、前記撮像部に設けられた第３の突状部とを有し、前記第１の筐体には、前記撮像部が前記第１の状態を保持する方向に前記撮像部に力を加える第２の弾性部材が設けられている、請求項２に記載の撮像部付き携帯通信機器。
【請求項５】
前記連結部は、前記第２の筐体の回動運動に伴って回転する表面を含み、前記回動運動伝達部は、前記表面に設けられた第１の歯車と、前記撮像部に設けられ、前記第１の歯車の回転運動が伝えられる第２の歯車とを有する、請求項２に記載の撮像部付き携帯通信機器。
【請求項６】
前記第２の筐体は、前記撮像部によって認識された画像を表示するための表示部をさらに有し、前記第１の状態は、前記撮像部が前記第１の筐体に完全に収容された状態であり、前記第２の状態は、前記表示部の主表面を延長していくと、やがて前記主表面が前記撮像部の光軸の延長線に直交する状態である、請求項２から５のいずれか１項に記載の撮像部付き携帯通信機器。
【請求項７】
前記第２の筐体は、前記撮像部によって認識された画像を表示するための表示部をさらに有し、前記第１の状態は、前記撮像部が前記第１の筐体に完全に収容された状態であり、前記第２の状態は、前記表示部の主表面を延長していくと、やがて前記主表面が前記撮像部の光軸の延長線に鋭角に交わる状態である、請求項２から５のいずれか１項に記載の撮像部付き携帯通信機器。
【発明の詳細な説明】
【０００１】
【発明の属する技術分野】
この発明は、一般的には、撮像部付き携帯通信機器に関し、より特定的には、折り畳み可能に連結された２つの筐体を有する撮像部付き携帯通信機器に関する。
【０００２】
【従来の技術】
従来、折り畳み可能に連結された２つの筐体からなるタイプのカメラ付き携帯電話が広く普及している。このタイプのカメラ付き携帯電話では、一般的には、一方の筐体に受信部と表示部（メイン表示部およびサブ表示部を含む）とが設けられており、他方の筐体に操作ボタンと送話部とが設けられている。また、カメラ機能を有する撮像部については、いずれかの筐体に設けられ、その態様は一様でない。
【０００３】
また近年、撮像部が回転可能に設けられたカメラ付き携帯電話が提案されており、たとえば、特開２００１−１３６２５４号公報（特許文献１）、特開２００２−１１１８３５号公報（特許文献２）および特開２００２−１８５５８９号公報（特許文献３）に開示されている。
【０００４】
特許文献１に開示されている携帯無線通信装置は、折り畳み自在に連結された第１および第２の筐体と、自在継手部を介して第２の筐体に回動可能に連結された第３の筐体とを備える。第３の筐体の前面には、カメラ部が設けられている。たとえば、この携帯無線通信装置を用いて音声通信と映像通信とを同時に行なう場合、第３の筐体を自在に回動させてカメラ部の向きを変えることができる。これにより、良好な通信姿勢を保ったまま、カメラ部が取り込む画像を変更することができる。
【０００５】
特許文献２に開示されている移動体電話機は、第１筐体と、液晶表示器を有し、第１筐体に摺動可能に支持された第２筐体とを備える、第２筐体には、周囲の様子を自由に撮影できるカメラが回動可能に支持されている。カメラを回転させてレンズの向きを変えることによって、液晶表示器を見ながら液晶表示器が設けられた面の裏面側の画像を撮影することができる。
【０００６】
特許文献３に開示されている折畳式携帯電話機は、操作部と、表示画面を有し、ヒンジユニットを介して操作部に回転可能に連結された表示部と、表示部に回転可能に連結された回転体とを備える。回転体には、レシーバユニットとカメラユニットとが異なる方向を向いて実装されている。折畳式携帯電話機を通常の携帯電話機として使用する場合、レシーバユニットを表示画面側に向けて用いる。折畳式携帯電話機をテレビ電話機として使用する場合、カメラユニットを表示画面側に向けて用いる。
【０００７】
【特許文献１】
特開２００１−１３６２５４号公報
【０００８】
【特許文献２】
特開２００２−１１１８３５号公報
【０００９】
【特許文献３】
特開２００２−１８５５８９号公報
【００１０】
【発明が解決しようとする課題】
このようにカメラ機能を有する撮像部を回転可能に設けることによって、被写体を良好な通信姿勢を保ったまま撮影できるなどの効果を得ることができる。しかし、上述のいずれの従来技術においても、撮像部を所定方向に向けるために、撮像部を手動で回転させなければならない。このような面倒な作業を行なうことは手間であるため、カメラ付き携帯電話の操作性が損なわれるという問題があった。
【００１１】
そこでこの発明の目的は、上記の課題を解決することであり、簡易な装置によって優れた操作性を実現できる撮像部付き携帯通信機器を提供することである。
【００１２】
【課題を解決するための手段】
この発明に従った撮像部付き携帯通信機器は、撮像部を有し、撮像部が回動可能に取り付けられた第１の筐体と、第１の筐体に回動可能に取り付けられた連結部を有する第２の筐体と、第２の筐体の回動運動を連結部を介して撮像部に伝える回動運動伝達部とを備える。
【００１３】
このように構成された撮像部付き携帯通信機器によれば、第２の筐体を第１の筐体に対して回動することによって、撮像部を所定の方向に回動させることができる。これにより、撮像部を手動で動かす必要がなくなり、撮像部付き携帯通信機器の操作性を向上させることができる。また、第２の筐体の回動運動を撮像部に伝えるために回動運動伝達部を設けている。このため、撮像部を回動させるための動力を単独で発生させる機構、たとえば小型モータなどを設ける場合と比較して、簡易な装置で撮像部を回動させることができる。
【００１４】
また好ましくは、第２の筐体を回動させることによって第１および第２の筐体を折り畳んだ状態から開いた状態へと変化させると、撮像部は、第１の状態から第２の状態へと変化する。
【００１５】
このように構成された撮像部付き携帯通信機器によれば、第１および第２の筐体を折り畳んだ状態から開いた状態に変化させると同時に、第１および第２の筐体が折り畳まれた状態において最適な第１の状態から、第１および第２の筐体が開かれた状態において最適な第２の状態へと撮像部を自動的に変化させることができる。また逆に、第１および第２の筐体を開いた状態から折り畳んだ状態に変化させる場合にも、撮像部を第２の状態から第１の状態に自動的に変化させることができる。
【００１６】
また好ましくは、連結部は、第２の筐体の回動運動に伴って回転する表面を含む。回動運動伝達部は、表面から突出する第１の突状部と、レバー部とを有する。レバー部は、第１の状態で第１の突状部に接触する一方端、ならびに第１および第２の状態で撮像部に接触する他方端を含む。第１の筐体には、撮像部が第２の状態を保持する方向に撮像部に力を加える第１の弾性部材が設けられている。
【００１７】
このように構成された撮像部付き携帯通信機器によれば、第１および第２の筐体が折り畳まれた状態にあるとき、レバー部の一方端と第１の突状部とが接触することによって、撮像部は第１の状態に保持される。また、第１および第２の筐体が開かれた状態にあるとき、第１の弾性部材による力によって撮像部は第２の状態に保持される。このように第１および第２の筐体の状態に応じて第１の突状部および撮像部に適時接触するレバー部と、撮像部に所定の方向に力を加える第１の弾性部材とによって、撮像部を容易に第１および第２の状態に変化させることができる。
【００１８】
また好ましくは、連結部は、第２の筐体の回動運動に伴って回転する表面を含む。回動運動伝達部は、表面から突出する第２の突状部と、第２の状態で第２の突状部に接触し、撮像部に設けられた第３の突状部とを有する。第１の筐体には、撮像部が第１の状態を保持する方向に撮像部に力を加える第２の弾性部材が設けられている。
【００１９】
このように構成された撮像部付き携帯通信機器によれば、第１および第２の筐体が折り畳まれた状態にあるとき、第２の弾性部材による力によって撮像部は第１の状態に保持される。また、第１および第２の筐体が開かれた状態にあるとき、第２の突状部と第３の突状部とが接触することによって、撮像部は第２の状態に保持される。このように第１および第２の筐体の状態に応じて適時接触する第２および第３の突状部と、撮像部に所定の方向に力を加える第２の弾性部材とによって、撮像部を容易に第１および第２の状態に変化させることができる。
【００２０】
また好ましくは、連結部は、第２の筐体の回動運動に伴って回転する表面を含む。回動運動伝達部は、表面に設けられた第１の歯車と、撮像部に設けられ、第１の歯車の回転運動が伝えられる第２の歯車とを有する。このように構成された撮像部付き携帯通信機器によれば、第１および第２の歯車の基準ピッチ円や配置などを適切に設定することによって、撮像部を容易に第１および第２の状態に変化させることができる。
【００２１】
また好ましくは、第２の筐体は、撮像部によって認識された画像を表示するための表示部をさらに有する。第１の状態は、撮像部が第１の筐体に完全に収容された状態である。第２の状態は、表示部の主表面を延長していくと、やがて主表面が撮像部の光軸の延長線に直交する状態である。
【００２２】
このように構成された撮像部付き携帯通信機器によれば、第１および第２の筐体が折り畳まれた状態において、撮像部の一部分が第１の筐体から突出していることがない。これにより、撮像部に傷や汚れが付くことを防止できる。また、第１および第２の筐体が開かれた状態において、撮像部の光軸が水平になるように撮像部を被写体に向けた場合、主表面が鉛直方向に延在するように表示部が位置決めされる。このため、表示部に表示された被写体の画像を水平に見ながら撮像部の光軸を水平にすることができる。これにより、撮影が容易になるとともに、楽な姿勢で表示部を確認することができる。
【００２３】
また好ましくは、第２の筐体は、撮像部によって認識された画像を表示するための表示部をさらに有する。第１の状態は、撮像部が第１の筐体に完全に収容された状態である。第２の状態は、表示部の主表面を延長していくと、やがて主表面が撮像部の光軸の延長線に鋭角に交わる状態である。
【００２４】
このように構成された撮像部付き携帯通信機器によれば、第１および第２の筐体が折り畳まれた状態において、上述と同様に撮像部に傷や汚れが付くことを防止できる。また、第１および第２の筐体が開かれた状態において、撮像部の光軸が水平になるように撮像部を被写体に向けた場合、主表面が鉛直方向に対して傾いて延在するように表示部が位置決めされる。このため、表示部が主表面の下端から上端に向かうに従って撮影者から遠ざかる状態で表示部に表示された被写体の画像を見ることができる。これにより、さらに楽な姿勢で撮影を行なうことができる。
【００２５】
【発明の実施の形態】
この発明の実施の形態について、図面を参照して説明する。
【００２６】
（実施の形態１）
図１は、この発明の実施の形態１におけるカメラ付き携帯電話を示す斜視図である。図１を参照して、カメラ付き携帯電話１は、通常の電話としての機能のほか、静止画や動画の写真撮影機能、接写によるバーコード等の撮影機能、およびこれらの撮影記録の送信機能などを有する。
【００２７】
カメラ付き携帯電話１は、撮像部４を有する筐体２と、連結部６を有し、連結部６を介して筐体２に回動可能に取り付けられた筐体３とを備える。図１には、筐体２および３を開いた状態のカメラ付き携帯電話１が示されている。
【００２８】
筐体２の表面２ａには、連結部６の近傍に位置して開口８が形成されている。筐体２の表面２ａは、カメラ付き携帯電話１を折り畳んだ状態で外側になる表面である。その開口８から撮影レンズが覗くように撮像部４が設けられている。撮像部４は、開口８の位置で回転可能に筐体２に取り付けられている。撮像部４は、撮影レンジや、ＣＣＤ（Ｃｈａｒｇｅ−Ｃｏｕｐｌｅｄ  Ｄｅｖｉｃｅ）イメージセンサまたはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮影素子や、ＲＧＢの３色のカラーフィルターなどから構成されている。撮像部４では、被写体から反射されて撮影レンズに入射した光が、カラーフィルターを通してＲＧＢの３色光に変換され、ＲＧＢの３色光がそれぞれＣＣＤまたはＣＭＯＳに入射する。
【００２９】
表面２ａの反対側に位置する筐体２の表面には、図示しないが、カメラ付き携帯電話１の各種機能を操作するための操作ボタンと、通話用のマイクとが設けられている。操作ボタンには、撮像部４によって被写体を撮影する際に使用するシャッターボタンも含まれる。操作ボタンおよびマイクが設けられた筐体２の表面は、筐体２および３を折り畳んだ状態で内側になる表面である。
【００３０】
連結部６は、ヒンジによって構成されている。連結部６を軸として筐体３を筐体２に対して回動させることによって、筐体２および３を折り畳んだ状態から開いた状態へと変化させることができる。
【００３１】
筐体３の表面３ａには、サブ表示部７が設けられている。表面３ａは、筐体２および３を開いた状態で筐体２の表面２ａと同じ側に延在する表面である。サブ表示部７は、液晶ディスプレイやＥＬディスプレイなどによって構成されている。サブ表示部７には、時刻、電波強度およびメール受信などを報知するための画像などが表示され、主に、筐体２および３を折り畳んだ状態で各種情報を提供するために用いられる。
【００３２】
表面３ａの反対側に位置する筐体３の表面には、メイン表示部５と、図示しないが、通話時に相手側の音声を発するためのスピーカーとが設けられている。メイン表示部５は、液晶ディスプレイやＥＬディスプレイなどによって構成されている。メイン表示部５は、筐体２および３を開いた状態で各種情報を提供するために用いられ、その情報の中には、撮像部４で認識された被写体の画像も含まれる。メイン表示部５およびスピーカーが設けられた筐体３の表面は、筐体２および３を折り畳んだ状態で内側になる表面である。
【００３３】
筐体２および３を開いた状態で、筐体２と筐体３とがなす角度は１６０°である。この１６０°という角度は、カメラ付き携帯電話１を通常の電話として使用する場合に、筐体３に設けられたスピーカーに耳をあてると口元が筐体２に設けられたマイクに近づくように決定されている。但し、筐体２および３がなす角度は、１６０°に限定されず、たとえば、１６０°±５°のばらつきがあっても良い。
【００３４】
図２は、図１中のカメラ付き携帯電話の折り畳んだ状態をしめす断面図である。図３は、図２中の曲線ＩＩＩで囲った部分を拡大した断面図である。図２および図３を参照して、連結部６は、筐体３を筐体２に対して回動させると同時に回転する表面６ａを有する。連結部６には、表面６ａの一部から突出する突状部１１が形成されている。
【００３５】
筐体２の内部には、一方端１２ｍと他方端１２ｎとを有し、一方端１２ｍから他方端１２ｎに向けて線状に延びるレバー１２が設けられている。レバー１２には、一方端１２ｍと他方端１２ｎとのほぼ中心に位置してレバー回転中心１３が設けられている。レバー１２は、レバー回転中心１３を中心に回転可能なように筐体２に取り付けられている。レバー１２の一方端１２ｍは、突状部１１の表面に接触している。突状部１１およびレバー１２が、回動運動伝達部１８を構成している。
【００３６】
筐体２の内部には、表面にリブ１６が一体に成形された撮像部４が設けられている。撮像部４は、撮像部４の全体が筐体２の内部に完全に収容されるように位置決めされている。撮像部４は、撮像部４を構成する撮影レンズの光軸１９が、筐体２の表面２ａに直角に交わるように位置決めされている。撮像部４の表面が、レバー１２の他方端１２ｎに接触している。
【００３７】
撮像部４がこのような状態で筐体２に収容されていることによって、カメラ付き携帯電話１を誤って落下させた場合などに撮像部４に傷が付くことを防止できる。また、カメラ付き携帯電話１を折り畳んだ状態で持ち歩く場合などにおいて、撮像部４が筐体２から突出していないため取り扱いやすくなる。
【００３８】
撮像部４には、撮影レンズの光軸１９の延長線上に位置して撮像部回転中心１５が設けられている。撮像部４は、撮像部回転中心１５を中心に回転可能なように筐体２に取り付けられている。また、筐体２の内部には、開口８の周縁に位置してリブ１７が形成されている。撮像部回転中心１５には、一方端がリブ１６に接触し、他方端がリブ１７に接触しているコイルバネ１４が取り付けられている。
【００３９】
筐体２および３が閉じられた図２および３に示す状態において、撮像部４には、コイルバネ１４によって矢印２０に示す方向に回転しようとする力が働いている。この撮像部４に働く力が、撮像部４に接触する他方端１２ｎを介してレバー１２に伝わることによって、レバー１２には、矢印２１に示す方向に回転しようとする力が働いている。しかし、レバー１２の一方端１２ｍが突状部１１に接触し、コイルバネ１４による力は連結部６を回転させるほどの大きさでないため、突状部１１は撮像部４が矢印２０に示す方向に回転しようとする動きのストッパーとしての役割を果たしている。結果、筐体２および３を折り畳んだ状態において、撮像部４は、筐体２の内部に収容された上述の状態に保持される。
【００４０】
図４は、図１中のカメラ付き携帯電話の開いた状態を示す断面図である。図４では、図３に示す範囲と同様の範囲が示されている。
【００４１】
図４を参照して、筐体３を筐体２に対して回動させていくと、連結部６は矢印２３に示す方向に回転し始める。同時に突状部１１も矢印２３に示す方向に回転する。コイルバネ１４による力により、レバー１２は、突状部１１のこの動きに伴い矢印２１に示す方向に回転し、さらに撮像部４が矢印２０に示す方向に回転する。やがて、レバー１２の他方端１２ｎが筐体２の内部の壁面２４に接触し、撮像部４の回転が止まる。結果、筐体２および３が開ききった状態において、撮像部４は、撮影レンズの光軸１９が筐体２の表面２ａに対して傾いた図４に示す状態に保持される。
【００４２】
図５は、図４中に示すカメラ付き携帯電話を用いて被写体の撮影を行なう様子を示した図である。図５を参照して、筐体２および３を開いた状態において、メイン表示部５の主表面５ａと撮像部４の撮影レンズの光軸１９とが直角に交わっている。被写体３３の撮影を行なう場合、撮影レンズの光軸１９が水平になるようにして撮像部４を被写体３３に向ける。このとき、メイン表示部５は、主表面５ａが鉛直方向に延在するように位置決めされる。このため、撮影者３２は、メイン表示部５を見上げることなく、自分の目の高さとメイン表示部５の高さとを合わせることによってメイン表示部５を正面から見ることができる。
【００４３】
言い換えれば、撮影者３２は、主表面５ａが鉛直方向に延在するようにカメラ付き携帯電話１を構えることによって、撮影レンズの光軸１９を水平にした状態で被写体３３の撮影を行なうことができる。このため、撮影を容易に行なうことができるとともに、比較的楽な姿勢で被写体３３の撮影を行なうことができる。
【００４４】
筐体２および３を開いた状態において、撮像部４が図５に示す状態とは別の方向を向いている場合について説明を行なう。図６は、図４中に示すカメラ付き携帯電話を用いて被写体の撮影を行なう様子を示した別の図である。
【００４５】
図６を参照して、筐体２および３を開いた状態において、メイン表示部５の主表面５ａと撮像部４の撮影レンズの光軸１９とが角度αで交わっている。角度αは鋭角であり、たとえば７０°である。被写体３３の撮影を行なうために撮影レンズの光軸１９が水平になるように撮像部４を被写体３３に向けた場合、メイン表示部５は、主表面５ａの下端から上端に向かうに従って主表面５ａから撮影者３２までの距離が大きくなるように位置決めされる。このため、撮影者３２は、メイン表示部５を自分の目の高さよりも低い位置に位置決めしても、メイン表示部５を正面から見ることができる。このため、より楽な姿勢で被写体３３の撮影を行なうことができる。
【００４６】
なお、カメラ付き携帯電話１が図５に示すように主表面５ａと光軸１９とが直角に交わる状態になる場合、撮像部４は筐体３を回動させ始めると同時に回転し始め、筐体３を２０度回転させたときに撮像部４は回転し終わる。撮像部４が回転するタイミングをこのように設定することによって、筐体２および３が開ききっていない状態で撮影を行なう場合に、撮影レンズの光軸１９がどの方向を向いているか容易に判断できるという効果がある。
【００４７】
つまり、カメラ付き携帯電話１に自動シャッター機能やシャッターをリモコンで操作できる機能が付いている場合、カメラ付き携帯電話１を平坦な場所に設置して撮影を行なう状況が考えられる。そのとき、筐体２よび３を９０°だけ開いた状態にして横向きに置くと安定した状態でカメラ付き携帯電話１を設置することができる。この場合、図５に示すカメラ付き携帯電話１によれば、筐体２および３を９０°開いた状態において撮像部４の回転は既に終了しているため、撮像部４が図５に示す方向を向いていると容易に認識することができる。このため、設置したカメラ付き携帯電話１に対して、被写体がどの位置に立てば良いのか容易に判断できる。
【００４８】
このように撮像部４が回転するタイミングによっては特段の効果が得られる場合がある。したがって、図３中に示す突状部１１の配置やレバー１２の形状などを変更して、撮像部４が回転し始めて回転し終わるまでのタイミングを調節することによって、このような効果を得ることができる。
【００４９】
この発明の実施の形態１に従った撮像部付き携帯通信機器としてのカメラ付き携帯電話１は、撮像部４を有し、撮像部４が回動可能に取り付けられた第１の筐体としての筐体２と、筐体２に回動可能に取り付けられた連結部６を有する第２の筐体としての筐体３と、筐体３の回動運動を連結部６を介して撮像部４に伝える回動運動伝達部１８とを備える。
【００５０】
筐体３を回動させることによって筐体２および３を折り畳んだ状態から開いた状態へと変化させると、撮像部４は、第１の状態から第２の状態へと変化する。
【００５１】
連結部６は、筐体３の回動運動に伴って回転する表面６ａを含む。回動運動伝達部１８は、表面６ａから突出する第１の突状部としての突状部１１と、レバー部としてのレバー１２とを有する。レバー１２は、第１の状態で突状部１１に接触する一方端１２ｍ、ならびに第１および第２の状態で撮像部４に接触する他方端１２ｎを含む。筐体２には、撮像部４が第２の状態を保持する方向に撮像部４に力を加える第１の弾性部材としてのコイルバネ１４が設けられている。
【００５２】
筐体３は、撮像部４によって認識された画像を表示するための表示部としてのメイン表示部５をさらに有する。第１の状態は、撮像部４が筐体２に完全に収容された状態である。第２の状態は、メイン表示部５の主表面５ａを延長していくとやがて主表面５ａが撮像部４の光軸１９の延長線に直交する状態である。
【００５３】
筐体３は、撮像部４によって認識された画像を表示するためのメイン表示部５をさらに有する。第１の状態は、撮像部４が筐体２に完全に収容された状態である。第２の状態は、メイン表示部５の主表面５ａを延長していくと、やがて主表面５ａが撮像部４の光軸１９の延長線に鋭角に交わる状態である。
【００５４】
なお、本実施の形態では、撮像部付き携帯通信機器にカメラ付き携帯電話を適用して説明を行なったが、本発明はこれに限定されず、たとえば、カメラ機能が付いたＰＤＡ（Ｐｅｒｓｏｎａｌ  Ｄｉｇｉｔａｌ  Ａｓｓｉｓｔａｎｔ）、ノート型パソコンおよびワードプロセッサなどに適用することも可能である。
【００５５】
このように構成されたカメラ付き携帯電話１によれば、筐体２および３を折り畳んだ状態から開いた状態に変化させる動きに連動させて、撮像部４を自動的に回転させることができる。これにより、撮像部４を手動で回転させるという手間を省くことができるため、カメラ付き携帯電話１の操作性を向上させることができる。また、カメラ付き携帯電話１では、コイルバネ１４およびレバー１２を新たな部品として付加するだけで、撮像部４を自動的に回転させることを可能としている。このため、小型モータなどを内部に組み込む場合と比較して、簡易な機構で撮像部４を自動的に回転させている。また、これらの機構は小型であるため、特に携帯電話などの分野で強く求められる省スペースの条件をも満たしている。
【００５６】
（実施の形態２）
この発明の実施の形態２におけるカメラ付き携帯電話は、実施の形態１におけるカメラ付き携帯電話１と比較して、撮像部を回転させる機構のみが異なる。以下において、重複する構造および動作の説明は省略する。
【００５７】
図７は、この発明の実施の形態２におけるカメラ付き携帯電話の折り畳んだ状態を示す断面図である。図７では、図３に示す範囲と同様の範囲が示されている。
【００５８】
図７を参照して、連結部６には、表面６ａの一部から突出する突状部４２が形成されている。筐体２の内部には、表面にリブ４９が一体に成形された撮像部４が設けられている。撮像部４は、撮像部４の全体が筐体２の内部に完全に収容されるように位置決めされている。連結部６に向い合う撮像部４の表面には、その表面から突出する突状部４３が形成されている。突状部４３および４２の各々は、互いに離れて位置している。突状部４３および４２が、回動運動伝達部を構成している。
【００５９】
撮像部４には、撮影レンズの光軸１９の延長線とはずれた位置に撮像部回転中心４５が設けられている。撮像部４は、撮像部回転中心４５を中心に回転可能なように筐体２に取り付けられている。また、筐体２の内部には、開口８の周縁に位置してリブ４１が形成されている。撮像部４は、リブ４１に接触している。さらに、筐体２の内部には、撮像部４を挟んだリブ４１の反対側にリブ４８が形成されている。撮像部回転中心４５には、一方端がリブ４８に接触し、他方端がリブ４９に接触しているコイルバネ４６が取り付けられている。
【００６０】
筐体２および３が閉じられた図７に示す状態において、撮像部４には、コイルバネ４６によって矢印４７に示す方向に回転しようとする力が働いている。しかし、撮像部４はリブ４１によって位置を固定されているため、撮像部４が筐体２の内部に収容された状態が保持されている。
【００６１】
図８は、図７中のカメラ付き携帯電話において筐体を開いている途中の状態を示す断面図である。図８を参照して、筐体３を筐体２に対して回動させていくと、連結部６は矢印５１に示す方向に回転し始める。同時に突状部４２も矢印５１に示す方向に回転する。やがて、突状部４２が突状部４３に接触する。
【００６２】
図９は、図７中のカメラ付き携帯電話の開いた状態を示す断面図である。図９を参照して、筐体３を筐体２に対してさらに回動させていくと、突状部４２が突状部４３を押し進める。これによって、撮像部４は、コイルバネ４６による力に逆らって矢印５２に示す方向に回転し始める。結果、筐体２および３を開ききった状態において、撮像部４は、撮影レンズの光軸１９が筐体２の表面２ａに対して傾いた図９に示す状態に保持される。
【００６３】
なお、実施の形態２において、筐体２および３を開いた状態が図５に示す状態であった場合、撮像部４は筐体３を１４０°回動させた時点で回転し始め、筐体３を開ききると同時に撮像部４の回転も終了する。この場合、筐体２よび３を９０°だけ開いた状態で、撮像部４は回転を始めていないため、カメラ付き携帯電話は、撮影レンズの光軸１９が筐体２の表面２ａに直角に交わった状態にある。このため、撮像部４がどの方向を向いているかさらに容易に判断することができる。
【００６４】
この発明の実施の形態２におけるカメラ付き携帯電話では、連結部６は、筐体３の回動運動に伴って回転する表面６ａを含む。回動運動伝達部は、表面６ａから突出する第２の突状部としての突状部４２と、第２の状態で突状部４２に接触し、撮像部４に設けられた第３の突状部としての突状部４３とを有する。筐体２には、撮像部４が第１の状態を保持する方向に撮像部４に力を加える第２の弾性部材としてのコイルバネ４６が設けられている。
【００６５】
このように構成されたカメラ付き携帯電話によれば、突状部４２および４３というさらに簡易な機構によって、実施の形態１に記載の効果と同様の効果を奏することができる。
【００６６】
（実施の形態３）
この発明の実施の形態３におけるカメラ付き携帯電話は、実施の形態１におけるカメラ付き携帯電話１と比較して、撮像部を回転させる機構のみが異なる。以下において、重複する構造および動作の説明は省略する。
【００６７】
図１０は、この発明の実施の形態３におけるカメラ付き携帯電話の折り畳んだ状態を示す断面図である。図１０では、図３に示す範囲と同様の範囲が示されている。
【００６８】
図１０を参照して、連結部５６は、筐体３を筐体２に対して回動させると同時に回転する表面５６ａを有する。連結部５６の表面５６ａの周りには、歯車５９が設けられている。歯車５９は、連結部５６に嵌め合わされていても良く、連結部５６と一体に成形されていても良い。
【００６９】
筐体２の内部には、中心を等しくし、かつピッチ円の直径が異なる歯車６０および６１が設けられている。歯車６０および６１は、歯車回転中心５７を中心に回転可能なように筐体２に取り付けられている。歯車５９と歯車６１とは噛み合っている。筐体２の内部には、歯車６０と噛み合う歯車６２が設けられている。歯車６２は、歯車回転中心５８を中心に回転可能なように筐体２に取り付けられている。
【００７０】
筐体２の内部には、撮像部４が設けられている。撮像部４は、撮像部４の全体が筐体２の内部に完全に収容されるように位置決めされている。撮像部４の表面には、弧状に歯が配置された歯車６４が設けられている。歯車６４と歯車６２とが噛み合っている。筐体２には、筐体２の内部の壁面から延在するガイド部材６３が設けられている。歯車６４は、ガイド部材６３に案内されてガイド部材６３が延在する方向に移動することが可能である。歯車５９から６２、歯車６４、およびガイド部材６３によって回動運動伝達部が構成されている。
【００７１】
図１１は、図１０中のカメラ付き携帯電話の開いた状態を示す断面図である。図１１を参照して、筐体３を筐体２に対して回動させると、連結部５６に設けられた歯車５９が矢印６６に示す方向に回転する。歯車５９の回転運動が歯車６１に伝わり、歯車６１および６０は矢印６７に示す方向に回転する。さらに、歯車６０の回転運動が歯車６２に伝わり、歯車６２は矢印６８に示す方向に回転する。
【００７２】
さらに、歯車６２の回転運動が歯車６４に伝わり、歯車６４が設けられた撮像部４は、ガイド部材６３に案内されて矢印６９に示す方向に移動する。結果、筐体２および３が開ききった状態において、撮像部４は、撮影レンズの光軸１９が筐体２の表面２ａに対して傾いた図１１に示す状態に保持される。
【００７３】
この発明の実施の形態３に従ったカメラ付き携帯電話では、連結部５６は、筐体３の回動運動に伴って回転する表面５６ａを含む。回動運動伝達部は、表面５６ａに設けられた第１の歯車としての歯車５９と、撮像部４に設けられ、歯車５９の回転運動が伝えられる第２の歯車としての歯車６４とを有する。
【００７４】
このように構成されたカメラ付き携帯電話によれば、歯車を回動運動伝達部として利用することによって、実施の形態１に記載の効果と同様の効果を奏することができる。
【００７５】
（実施の形態４）
この発明の実施の形態４におけるカメラ付き携帯電話は、実施の形態１におけるカメラ付き携帯電話１と比較して、撮像部を回転させる機構のみが異なる。以下において、重複する構造および動作の説明は省略する。
【００７６】
図１２は、この発明の実施の形態４におけるカメラ付き携帯電話の折り畳んだ状態を示す断面図である。図１２では、図３に示す範囲と同様の範囲が示されている。
【００７７】
図１２を参照して、連結部７４は、筐体３を筐体２に対して回動させると同時に回転する表面７４ａを有する。連結部７４の表面７４ａの周りには、歯車７６が設けられている。歯車７６は、連結部７４に嵌め合わされていても良く、連結部７４と一体に成形されていても良い。筐体２の内部には、歯車７６と噛み合う歯車７７が設けられている。歯車７７は、歯車回転中心７５を中心に回転可能なように筐体２に取り付けられている。
【００７８】
筐体２の内部には、撮像部４が設けられている。撮像部４は、撮像部４の全体が筐体２の内部に完全に収容されるように位置決めされている。撮像部４の表面には、弧状に歯が配置された歯車７３が設けられている。歯車７７と歯車７３とが噛み合っている。筐体２の内部には、筐体２の内部の壁面から延在する溝７１が形成されたガイド部材７０が設けられている。歯車７３は、ガイド部材７０に案内されて溝７１が延在する方向に移動することが可能である。歯車７６、７７および７３、ならびにガイド部材７０によって回動運動伝達部が構成されている。
【００７９】
図１３は、図１２中のカメラ付き携帯電話の開いた状態を示す断面図である。図１３を参照して、筐体３を筐体２に対して回動させると、連結部７４に設けられた歯車７６が矢印８１に示す方向に回転する。歯車７６の回転運動が歯車７７に伝わり、歯車７７は矢印８２に示す方向に回転する。さらに、歯車７７の回転運動が歯車７３に伝わり、歯車７３が設けられた撮像部４は、ガイド部材７０に案内されて矢印８３に示す方向に移動する。結果、筐体２および３が開ききった状態において、撮像部４は、撮影レンズの光軸１９が筐体２の表面２ａに対して傾いた図１３に示す状態に保持される。
【００８０】
このように構成されたカメラ付き携帯電話によれば、実施の形態３に記載の効果と同様の効果を奏することができる。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８２】
【発明の効果】
以上説明したように、この発明に従えば、簡易な装置によって優れた操作性を実現できる撮像部付き携帯通信機器を提供することができる。
【図面の簡単な説明】
【図１】この発明の実施の形態１におけるカメラ付き携帯電話を示す斜視図である。
【図２】図１中のカメラ付き携帯電話の折り畳んだ状態をしめす断面図である。
【図３】図２中の曲線ＩＩＩで囲った部分を拡大した断面図である。
【図４】図１中のカメラ付き携帯電話の開いた状態を示す断面図である。
【図５】図４中に示すカメラ付き携帯電話を用いて被写体の撮影を行なう様子を示した図である。
【図６】図４中に示すカメラ付き携帯電話を用いて被写体の撮影を行なう様子を示した別の図である。
【図７】この発明の実施の形態２におけるカメラ付き携帯電話の折り畳んだ状態を示す断面図である。
【図８】図７中のカメラ付き携帯電話において筐体を開いている途中の状態を示す断面図である。
【図９】図７中のカメラ付き携帯電話の開いた状態を示す断面図である。
【図１０】この発明の実施の形態３におけるカメラ付き携帯電話の折り畳んだ状態を示す断面図である。
【図１１】図１０中のカメラ付き携帯電話の開いた状態を示す断面図である。
【図１２】この発明の実施の形態４におけるカメラ付き携帯電話の折り畳んだ状態を示す断面図である。
【図１３】図１２中のカメラ付き携帯電話の開いた状態を示す断面図である。
【符号の説明】
１  カメラ付き携帯電話、２，３  筐体、４  撮像部、５  メイン表示部、６，５６，７４  連結部、６ａ，５６ａ，７４ａ  表面、１１，４２，４３  突状部、１２  レバー、１２ｍ  一方端、１２ｎ  他方端、１４，４６  コイルバネ、１８  回転運動伝達部、１９  光軸、５９，６４，７３，７６  歯車。
【図１】
2004312165.tif 000003
【図２】
2004312165.tif 000004
【図３】
2004312165.tif 000005
【図４】
2004312165.tif 000006
【図５】
2004312165.tif 000007
【図６】
2004312165.tif 000008
【図７】
2004312165.tif 000009
【図８】
2004312165.tif 000010
【図９】
2004312165.tif 000011
【図１０】
2004312165.tif 000012
【図１１】
2004312165.tif 000013
【図１２】
2004312165.tif 000014
【図１３】
2004312165.tif 000015